(57)【要約】【課題】交番磁界により水クラスターを微細化する水分子微細化装置を提供する。【解決手段】この装置は、筐体１と、第１、第２水槽２、３と、第１、第２磁場発生器４、５と、センサスイッチ６と、制御装置７とを備え、第１、第２磁場発生器４，５は共に導磁体Ａと励磁コイル部Ｂとを有し、これら励磁コイル部Ｂが互いに電気的に接続され、制御装置７に電気的に接続されて、制御装置７はセンサスイッチ６の制御により、外部電源から供給される交流電力を引き込み第１、第２磁場発生器４、５に供給して２つの磁場発生器４、５を運転し、第１、第２水槽２、３に流す水の水クラスターを微細化する。【選択図】図１
0003192285.tif 000002
【実用新案登録請求の範囲】
【請求項１】
筐体と、
前記筐体の中に設けられ、第１通水孔を有する第１水槽と、
前記筐体の中に設けられ、前記第１水槽に対応し、前記第１水槽に連通される、第２通水孔を有する第２水槽と、
前記第１水槽の一側に設けられ、単一方向に強力な交番磁界を発生させる第１磁場発生器と、
前記第２水槽の一側に設けられ、単一方向に強力な交番磁界を発生させる第２磁場発生器と、
前記第１水槽と前記第２水槽との間に設けられ、前記第１水槽及び前記第２水槽の水圧の変化を感知するセンサスイッチと、
前記筐体の中に設けられ、前記センサスイッチに電気的に接続される制御装置と、
を備え、
前記第１磁場発生器及び前記第２磁場発生器は共に、金属材料で製造される両端に突起を有するＵ字型の導磁体と、前記導磁体の各突起の端部にそれぞれに対応して設けられる励磁コイル部とを有し、前記２つの励磁コイル部が互いに電気的に接続れ、且つ前記制御装置に電気的に接続されて、
前記制御装置は、前記センサスイッチの制御により、外部電源から供給される交流電力を引き込み、前記第１磁場発生器及び前記第２磁場発生器に直接供給し、前記２つの磁場発生器を作動させることで、前記第１水槽及び前記第２水槽に流す水の水クラスターを微細化する、
ことを特徴とする水分子微細化装置。
【請求項２】
前記センサスイッチを設置する前記第１水槽及び前記第２水槽に、前記センサスイッチを位置決めするための収納槽が設けられ、前記収納槽の前記第１水槽の一側に対応する位置に前記第１水槽に連通する第１連通孔が設けられ、前記収納槽の前記第２水槽の一側に対応する位置に前記第２水槽に連通する第２連通孔が設けられる、ことを特徴とする請求項１に記載の水分子微細化装置。
【請求項３】
前記第１通水孔及び前記第２通水孔はそれぞれ、前記第１水槽及び前記第２水槽に、同じ側に設ける形式、反対の側に設ける形式、対称的に互いに対応して設ける方式のうちの一つの形式で設けられ、前記第１磁場発生器及び前記第２磁場発生器はそれぞれ、前記第１水槽及び前記第２水槽に、同じ側に設ける形式、反対側に設ける形式のうちの一つの形式で設けられる、ことを特徴とする請求項１又は２に記載の水分子微細化装置。
【請求項４】
前記第１水槽は前記第１通水孔の反対側に第１開口部を有し、前記第２水槽は前記第２通水孔の反対側に第２開口部を有し、前記第１開口部及び前記第２開口部はそれぞれ閉塞ユニットにより閉塞され、前記閉塞ユニットは、一端側の面に前記第１開口部を閉塞する筒状の第１閉塞部及び前記第２開口部を閉塞する筒状の第２閉塞部を有し、前記第１、第２閉塞部の外側面に少なくとも二つの弾性リングが一定の間隔で取り付けられて、一端側の面で前記第１、第２開口部を閉塞し、他端側の面に前記第１磁場発生器及び前記第２磁場発生器を取り囲み位置決めする位置決め片を有し、他端側の面で前記第１、第２磁場発生器を位置決めする、ことを特徴とする請求項１乃至３のいずれかに記載の水分子微細化装置。
【請求項５】
前記第１閉塞部及び前記第２閉塞部の外側面の前記弾性リングの取付位置に、前記弾性リングを位置決めする凹槽部が設けられる、ことを特徴とする請求項４に記載の水分子微細化装置。
【請求項６】
前記制御装置は、前記筐体の中に設けられる回路基板と、前記筐体の一側に設けられ、前記回路基板に電気的に接続される自動スイッチと、前記筐体の一側に設けられ、前記自動スイッチに対応し、前記回路基板に電気的に接続される電源スイッチと、前記回路基板に電気的に接続されて前記筐体の一側の外部に設けられ、外部電源に接続して交流電力を引き込む電源ケーブルとを備える、ことを特徴とする請求項１乃至５のいずれかに記載の水分子微細化装置。
【請求項７】
前記筐体は、前記第１水槽及び前記第２水槽を覆う上筐体と、前記上筐体に連接され、前記第１磁場発生器及び前記第２磁場発生器を覆う下筐体とを備える、ことを特徴とする請求項１乃至６のいずれかに記載の水分子微細化装置。
【請求項８】
前記導磁体は、多数のＵ字形のケイ素鋼導磁片が緊密に並べて設置組み立てられて成る、ことを特徴とする請求項１乃至７のいずれかに記載の水分子微細化装置。
【考案の詳細な説明】
【技術分野】
【０００１】
本考案は、水クラスターを微細化し、微細化した水を供給する水処理装置としての水分子微細化装置に関する。
【背景技術】
【０００２】
商工業の発展と共に、水質汚染の状況がどんどん悪化したことで、水質は清浄であるのか、水は消毒剤、漂白剤、排除できない微細有害物質などを含んでいるのかと、消費者は水を飲む時に心配し、水を使う時に水で洗剤や農薬を洗浄できるのかと心配し、現在の飲料水を安心して使うことができない。
【考案の概要】
【考案が解決しようとする課題】
【０００３】
そこで、本考案の課題とするところは、消費者が、水の中に微細有害物質が含まれているか否か、洗浄したかどうかを心配する必要がないように、水を安心して使用することができる水処理装置を提案することにある。
【０００４】
本考案は、上記の問題点に鑑みなされたもので、交番磁界により水クラスターを微細化し、また、簡単に組立てて使用できる水分子微細化装置を提供することを目的とする。
【課題を解決するための手段】
【０００５】
上記問題点を解決し、上記目的を達成するために、本考案の水分子微細化装置は、筐体と、当該筐体の中に設けられ、第1通水孔を有する第1水槽と、当該筐体の中に設けられ、当該第1水槽に対応し、当該第1水槽に連通され、第2通水孔を有する第2水槽と、当該第1水槽の一側に設けられ、単一方向に強力な交番磁界を発生させる第1磁場発生器と、当該第2水槽の一側に設けられ、単一方向に強力な交番磁界を発生させる第2磁場発生器と、当該第1水槽と当該第2水槽との間に設けられ、当該第1水槽及び当該第2水槽の水圧の変化を感知するセンサスイッチと、当該筐体の中に設けられ、当該センサスイッチに電気的に連接される制御装置と、を備え、当該第1磁場発生器及び当該第2磁場発生器の両方も、金属材料で製造されるU字型の導磁体と、当該導磁体の二つの突起の端部にそれぞれに対応して設けられる励磁コイル部と、を備え、二つの当該励磁コイル部が互いに電気的に連接され、且つ当該制御装置に電気的に連接され、当該制御装置は、当該センサスイッチの制御により、外部電源から供給される交流電力を引き込み、当該第1磁場発生器及び当該第2磁場発生器に直接供給し、二つの磁場発生器を作動させることで、当該第1水槽及び当該第2水槽を流れる水の水クラスターが微細化される、ことを要旨とする。
【０００６】
また、この水分子微細化装置は、各部に次のような構成を備えることが好ましい。
（１）前記センサスイッチの設置場所に対応する前記第1水槽及び前記第2水槽に、当該センサスイッチを位置決めするための収納槽が設けられ、当該第1水槽の一側に対応する当該収納槽に、さらに当該第1水槽に連通される第1連通孔が設けられ、当該第2水槽の一側に対応する当該収納槽に、さらに当該第2水槽に連通される第2連通孔が設けられる。
（２）前記第1通水孔及び前記第2通水孔が、前記第1水槽及び前記第2水槽に対応する位置に、下に列挙した方法：
同じ側に設ける方式、違う側に設ける方式、互いに対応して設ける方式
の一つで設けられ、前記第1磁場発生器及び前記第2磁場発生器が、当該第1水槽及び当該第2水槽に対応する位置に、下に列挙した方法：
同じ側に設ける方式、違う側に設ける方式
の一つで設けられる。
（３）前記第1水槽は、前記第1通水孔と違う側に設けられる第1開口部を有し、前記第2水槽は、前記第2通水孔と違う側に設けられる第2開口部を有し、前記水分子微細化装置は、さらに当該第1開口部及び当該第2開口部をそれぞれに閉塞する一端部と、前記第1磁場発生器及び前記第2磁場発生器を位置決めする他端部と、を備える閉塞ユニットを少なくとも一つ有し、当該閉塞ユニットは、当該第1開口部を閉塞する一端部を有する第1閉塞部と、当該第2開口部を閉塞する一端部を有する第2閉塞部と、を備え、当該第1閉塞部及び当該第2閉塞部の一端部の外側面に、少なくとも二つの弾性リングが一定の間隔に套設される。
（４）前記第1閉塞部及び前記第2閉塞部の外側面は、前記弾性リングに対応する位置に、さらに当該弾性リングを位置決めする凹槽部が設けられる。
（５）前記制御装置は、前記筐体の中に設けられる回路基板と、当該筐体の一側に設けられ、当該回路基板に電気的に連接される自動スイッチと、当該筐体の一側に設けられ、当該自動スイッチに対応し、且つ当該回路基板に電気的に連接される電源スイッチと、当該筐体の一側の外部に設けられ、当該回路基板に電気的に連接され、外部電源に連接され、交流電力を引き込む電源ケーブルと、を備える。
（６）前記筐体は、前記第1水槽及び前記第2水槽を覆う上筐体と、前記第1磁場発生器及び前記第2磁場発生器を覆い、且つ当該上筐体に連接される下筐体と、を備える。
（７）前記導磁体が、緊密に並べて設置する多数のU字形のケイ素鋼導磁片から組成される。
【考案の効果】
【０００７】
本考案の水分子微細化装置によれば、上記の各構成により、次のような効果を奏する。
（１）本考案では、第1水槽と第2水槽との組み合わせにより、良好な水の処理環境を提供でき、第1磁場発生器及び第2磁場発生器を応用することで、水が絶えず完全に微細化され、外部に微細化された水を輸出する。
（２）本考案では、第1磁場発生器及び第2磁場発生器を応用することにより、水クラスターを二段式で微細化することが行われ、一定のエネルギー消費で、最適な水クラスターの微細化効果を達成され、微細化することが不完全だという問題に心配する必要がない。
（３）本考案では、センサスイッチが設けられることにより、素早く反応で、第1磁場発生器及び第2磁場発生器が即時に作動される以外、さらにコストと故障率を減すことができ、消費者は安心して使うようにする。
（４）本考案では、制御装置を応用することにより、第1磁場発生器及び第2磁場発生器に交流電力を供給し、その両方が交番磁界を発生させることで、コストが低められ、且つ全体が簡略化され、さらに長持ちされ、簡単に故障が生じることが心配する必要がない。
【図面の簡単な説明】
【０００８】
【図１】本考案の第１の実施の形態による水分子微細化装置の概略構成を示す図
【図２】同装置の構成を示す斜視図
【図３】同装置の構成を示す分解斜視図
【図４】同装置の要部を示す分解斜視図
【図５】同装置の使用状態を示す斜視図
【図６】同装置の使用状態を示す断面図
【図７】本考案の第２の実施の形態による水分子微細化装置の概略構成を示す図
【図８】本考案の第３の実施の形態による水分子微細化装置の概略構成を示す図
【図９】本考案の第４の実施の形態による水分子微細化装置の概略構成を示す図
【考案を実施するための形態】
【０００９】
次に、この考案を実施するための形態について図を用いて説明する。
図１、図２及び図３並びに図５、図６に示すように、水分子微細化装置１００は、筐体１と、筐体１の中に設けられ、第１通水孔２１を有する第１水槽２と、筐体１の中に設けられ、第１水槽２に対応し、第１水槽２に連通される、第２通水孔３１を有する第２水槽３と、第１水槽２の一側に設けられ、単一方向に強力な交番磁界を発生させる第１磁場発生器４と、第２水槽３の一側に設けられ、単一方向に強力な交番磁界を発生させる第２磁場発生器５と、第１水槽２と第２水槽３との間に設けられ、第１水槽２及び第２水槽３の水圧の変化を感知するセンサスイッチ６と、筐体１の中に設けられ、センサスイッチ６に電気的に接続される制御装置７とを備え、第１磁場発生器４及び第２磁場発生器５は共に、金属材料で製造される両端に突起を有する全体としてＵ字型の導磁体Ａと、導磁体Ａの各突起の端部にそれぞれに対応して設けられる励磁コイル部Ｂとを有し、これら２つの励磁コイル部Ｂが互いに電気的に接続され、且つ制御装置７に電気的に接続され、制御装置７は、センサスイッチ６の制御により、外部電源から供給される交流電力を引き込み、第１磁場発生器４及び第２磁場発生器５に直接供給し、２つの磁場発生器を作動させて、第１水槽２及び第２水槽３に流す水の水クラスターを微細化するようになっている。
【００１０】
このような第１水槽２と第２水槽３との組み合わせにより、組立て及び使い方が簡単で、水の供給元及び排出先が第１通水孔２１及び第２通水孔３１に連接されると、第１通水孔２１を給水孔とし、第２通水孔３１を排水孔として、或いは第１通水孔２１を排水孔とし、第２通水孔３１を給水孔として、未処理水ＷＩを絶えず入れることで順調に作動する。水を必要とする各種器具、機器、例えば蛇口、食器洗い機、洗濯機、濾過装置、冷水機、ウォーターサーバーなどの装置と組み合わせて使用する。
【００１１】
また、第１磁場発生器４及び第２磁場発生器５を用いることにより、未処理水ＷＩが、絶えず完全に微細化されて、処理済水ＷＯが外部に排出され、この水クラスターの微細化が二段で行われるので、一定のエネルギー消費で、最適な水クラスターの微細化効果を達成し、微細化することが不完全であるという問題を心配する必要がない。
なお、センサスイッチ６の組み合わせにより、第１磁場発生器４及び第２磁場発生器５が即時に作動して素早く反応し、また、コスト及び故障率が低くなるので、消費者が安心して使えるようになる。
さらに、第１磁場発生器４及び第２磁場発生器５は、Ｕ字型導磁体Ａと励磁コイル部Ｂとの組み合わせにより、交流電力が加えられ、２つの磁場発生器が同じ方向に強力で、安定な方向で、且つとても平均で、磁力線が強く、分子を分割する効果に優れたいい交番磁界を作り出し、毎秒５０Ｈｚや６０Ｈｚで、Ｎ極やＳ極を変換し続けて、素早く変動する磁力線を切る効果を発生させ、クラスターの大きい水の結合が壊され、クラスターの小さい水になり、クラスターの小さい水の全体構造は小さく、ナノ級の大きさまでになるので、物理性質及び化学性質が異なり、一般的な状態でのクラスターの大きい水よりさらによい効果が発揮される。
【００１２】
未処理水ＷＩは強力な交番磁界を通過した後、クラスターの大きい水（Ｈ2Ｏ）nが磁場でダイマー［Ｈ2Ｏ］2やモノマーＨ2Ｏに分割され、磁化された水分子の酸水素の原子価角が１０４．５°から１０３°ぐらいに減らされ、原子間の磁気モーメントの方向が変わって数値が増えるので、流体の性質が変わり、交番磁界で水分子が活性化され、クラスターの大きい水がクラスターの小さい水に転化され、水が磁気[小分子]活性水になり、処理済水ＷＯであり、その水のクラスターが微細化され、一般の物質の分子より小さいので、生活用については、お風呂に入ったり髪を洗ったりするなど個人衛生の清潔を保つ場合に、洗剤や石鹸などが完全にいらなくなり、洗浄したり殺菌したりする以外、水中のフッ素や界面活性剤の化学毒性[肌老化が速くなること]を避け、台所衛生については、洗う必要がある鍋、碗、瓢、盆などは布巾で丁寧に拭くだけで、残留物の結合が簡単に剥離され、清潔及び殺菌の目的を達成し、清理される時に油汚れが残らないように、処理済水で取り去られ、安全で環境にやさしい。
【００１３】
水分子［Ｈ2Ｏ］自身が磁性体であるので、同極は反発し合い、異極は引き合うという磁気特性で、元々引き合う大きい[１３から２３個]水クラスターが、強力な交番磁界で再配列して結合され、活性化された水分子は、コマが回るように加速して動き、水素結合した水のクラスターが切り離され、極性水分子に形成されるので、水のクラスターが微細化され、水の硬度が変えられてさらに水の活性、酸素含有量、浸透性、溶解度などが高められる。
【００１４】
強力な交番磁界を通過した後、特性が次のようになる。水分子結合（Ｈ）の角度と長さが変化される［１０３から１０５に］ことにより、水の物理性及び化学性が大幅に変わり、沸く過程に水中の炭酸水素カルシウム及び炭酸水素マグネシウムが分解されてもっと軟らかい物質が生成され、その２つの物質の壁面に積み重なることが難くなり、水分子で容易に取り去られるようになり、故に残留フッ素を分解し汚れを防ぐことができ、同時に生体膜の透過性が強化され、ｐＨが弱酸性に変わり、水中の酵素の活性が活性化され、一般の水道水中のフッ素は遊離状態で存在し、強い活性を有し、水と化学反応を起こさず、交番磁界の強力な刺激作用で、塩素及び水が活性化されて塩酸及び次亜塩素酸になり、次亜塩素酸がまた塩酸と発生期酸素に分解され、発生期酸素はとても強い酸化力を有し、殺菌、消毒、除藻などができ、塩酸が電離された後に塩素イオン及び水素イオンが生成され、元々遊離状態であるフッ素はフッ素イオンになり、フッ素イオンが水中にあるカリウム、カルシウム、マグネシウムなどの金属イオンと結合して塩化カリウム、塩化ナトリウム、塩化カルシウム、塩化マグネシウムになり、有害な残留塩素は無害になり、これは交番磁界で処理された水の区別である。
【００１５】
第１水槽２及び第２水槽３との間にセンサスイッチ６の設置位置としてセンサスイッチ６を位置決めするための収納槽６１が設けられ、この収納槽６１には、第１水槽２の一側に対応する位置に第１水槽２に連通する第１連通孔６１１が設けられ、第２水槽３の一側に対応する位置に第２水槽６１１に連通する第２連通孔６１２が設けられる。
このような収納槽６１を設けられることで、センサスイッチ６が安定して設置装備され、且つ保護されて、外部の影響が低減し、センサスイッチ６が正常に作動し、故障の可能性は低減される。
また、第１連通孔６１１及び第２連通孔６１２が設けられることで、センサスイッチ６が水圧を順調に感知し、第１水槽２及び第２水槽３の水圧変化につき、水圧が高くなっても低くなっても、素早く反応できる。
【００１６】
第１通水孔２１及び第２通水孔３１は、第１水槽２及び第２水槽３に、同じ側に設ける方式（図１、図７に示すような方式）、違う側（反対側）に設ける方式（図８に示すような方式）、互いに対応して（対称的に）設ける方式（図９に示すような方式）のうち、一つの方式により設けられ、また、第１磁場発生器４及び第２磁場発生器５は、第１水槽２及び第２水槽３に、同じ側に設ける方式、違う側（反対側）に設ける方式のうち、一つの方式により設けられる。
このように第１通水孔２１、第２通水孔３１、第１磁場発生器４及び第２磁場発生器５の組立方法を変更することにより、図１、図７、図８及び図９に示すように、不同の実施形態になり、水分子微細化装置１００の応用がさらに多元化され、異なる応用の必要と組み合わせ、応用範囲を拡張し、応用できない問題を避けることができる。
【００１７】
図４に示すように、第１水槽２はさらに第１通水孔２１と違う側（反対側）に第１開口部２２を有し、第２水槽３はさらに第２通水孔３１と違う側（反対側）に第２開口部３２を有し、第１開口部２２及び第２開口部３２はそれぞれ少なくとも一つの閉塞ユニット８により閉塞される。
閉塞ユニット８は、一端側の面に第１開口部２２を閉塞する筒状の第１閉塞部８１及び第２開口部３２を閉塞する筒状の第２閉塞部８２を有し、これら第１、第２閉塞部８１、８２の外側面に少なくとも二つの弾性リング８３が一定の間隔で取り付けられて、一端側の面で第１、第２開口部２１、２２を閉塞するようになっていて、他端側の面に第１磁場発生器４及び第２磁場発生器５を取り囲み位置決めする位置決め片を有し、他端側の面で第１、第２磁場発生器４、５を位置決めするようになっている。
このように第１水槽２に第１開口部２２、第２水槽３に第２開口部３２を設け、これを閉塞ユニット８の第１閉塞部８１及び第２閉塞部８２で閉塞するようにしたので、第１水槽２及び第２水槽３をさらに容易に生産し組み立てることができるようになり、コストの低下を図り、且つ需要に応じて設置（設計）を変更する時、さらに便利で素早く、この水分子微細化装置１００がさらに多元的に応用される。
また、弾性リング８３が設けられたことで、漏水の問題を簡単且つ有効に解決でき、消費者は漏水を心配する必要がまったくない。なお、この場合、第１閉塞部８１及び第２閉塞部８２の外側面の弾性リング８３を取り付ける位置に、弾性リング８３を位置決めするための凹槽部８４が設けられる。このような凹槽部８４を設置することで、弾性リング８３が滑動しないようになり、防水及び止水効果が有効となり、組み立てる時に、弾性リング８３がずれることで、第１水槽２及び第２水槽３の止水効果に影響することが容易に発生することがない。
【００１８】
制御装置７は、図３、図５に示すように、筐体１の中に設けられる回路基板７１と、筐体１の一側に設けられ、回路基板７１に電気的に接続される自動スイッチ７２と、筐体１の一側に設けられ、自動スイッチ７２に対応し、回路基板７１に電気的に接続される電源スイッチ７３と、回路基板７１に電気的に接続されて筐体１の一側の外部に設けられ、外部電源に接続して交流電力を引き込む電源ケーブル７４とを備える。このように回路基板７１と電源ケーブル７４とを組み合わせて用いることで、第１磁場発生器４及び第２磁場発生器５に交流電力を供給してその両者に交番磁界を発生させることができ、無駄な電子部材を組み立てる必要がなく、制御装置７を簡略化して、コストを低減し、また長持ちさせることができ、故障率を低下させる。
また、自動スイッチ７２と電源スイッチ７３とを組み合わせて用いることで、第１磁場発生器４及び第２磁場発生器５の作動を有効に制御することができ、自動スイッチ７２を使用することにより、水分子微細化装置１００は自動的に水圧変化を感知して作動し、自動スイッチ７２が切れたり故障したりした時にも、電源スイッチ７３を使って、手動で水分子微細化装置１００の作動を制御することができる。
【００１９】
筐体１は、図３、図５に示すように、第１水槽２及び第２水槽３を覆う上筐体１１と、上筐体１１に連接され、第１磁場発生器４及び第２磁場発生器５を覆う下筐体１２とを備える。このような上筐体１１と下筐体１２との組み合わせにより、重要装置を完全に内部において保護し、同時に簡単な構造で、生産及び組立の難易度を減らすことができる他、外見が非常に単純であり、且つ一番大事なことは、より単純な構造に、分解防止の設計が加えられた後は、分解することが難しくなり、上筐体１１及び下筐体１２を破壊するしかないが、内部装置の損害は不可避だから、模倣品が有効に抑止される。
【００２０】
導磁体Ａは、図３に示すように、多数のＵ字形のケイ素鋼導磁片Ｃが緊密に並べて設置、組み立てられてなる。
このようなケイ素鋼導磁片Ｃの応用で、第１磁場発生器４及び第２磁場発生器５の生産コスト及び生産難易度を減らすことができ、且つ第１磁場発生器４及び第２磁場発生器５から発生される磁場の大きさを調整することがさらに有利になり、水分子微細化装置１００の応用範囲がさらに広くなる。
【００２１】
以上の実施の形態は、本考案の構造と、特徴及び作用効果を説明するために用いられるものであり、それを以って、本考案の実用新案登録請求の範囲が制限されることは無く、本考案の思想を逸脱することなく種々の改造やそれと同じ置き換えを行っても、それはすべて本考案の範囲に含まれるものである。
【符号の説明】
【００２２】
１  筐体
１１  上筐体
１２  下筐体
２  第１水槽
２１  第１通水孔
２２  第１開口部
３  第２水槽
３１  第２通水孔
３２  第２開口部
４  第１磁場発生器
５  第２磁場発生器
６  センサスイッチ
６１  収納槽
６１１  第１連通孔
６１２  第２連通孔
７  制御装置
７１  回路基板
７２  自動スイッチ
７３  電源スイッチ
７４  電顕ケーブル
８  閉塞ユニット
８１  第１閉塞部
８２  第２閉塞部
８３  弾性リング
８４  凹槽部
１００  水分子微細化装置
Ａ  導磁体
Ｂ  励磁コイル部
Ｃ  ケイ素鋼導磁片
ＷＩ  未処理水
Ｗ０  処理済水
【図１】
0003192285.tif 000003
【図２】
0003192285.tif 000004
【図３】
0003192285.tif 000005
【図４】
0003192285.tif 000006
【図５】
0003192285.tif 000007
【図６】
0003192285.tif 000008
【図７】
0003192285.tif 000009
【図８】
0003192285.tif 000010
【図９】
0003192285.tif 000011